(57)【要約】【課題】複数のハードウェアで提供されるゲームコンテンツの利用を促し、プレイヤの関心を持続させる。【解決手段】ゲーム装置は、第１の種別の物品から第１のゲーム情報が取得されることで進行制御がなされる第１のゲームコンテンツのゲームを実行する。ゲーム装置は、第１のゲームコンテンツとは異なる第２のゲームコンテンツのゲームを実行する第２の種別の物品から、少なくとも第２のゲームコンテンツについてプレイヤごとに管理されるプレイヤ情報を取得し、第１のゲームコンテンツのゲームを実行したことに応じて、該プレイヤ情報と対応付けられた第２のゲームコンテンツのゲームの進行制御に用いられる第２のゲーム情報を変更するよう制御する。【選択図】図５
2019010413.tif 000002
【特許請求の範囲】
【請求項１】
第１の種別の物品から第１のゲーム情報が取得されることで進行制御がなされる第１のゲームコンテンツのゲームを実行する実行手段を有するゲーム装置であって、
前記第１の種別の物品から前記第１のゲーム情報を取得する第１の取得手段と、
前記第１のゲームコンテンツとは異なる第２のゲームコンテンツのゲームを実行する第２の種別の物品から、少なくとも前記第２のゲームコンテンツについてプレイヤごとに管理されるプレイヤ情報を取得する第２の取得手段と、
前記実行手段により前記第１のゲームコンテンツのゲームが実行されたことに応じて、前記第２の取得手段により取得された前記プレイヤ情報と対応付けられた前記第２のゲームコンテンツのゲームの進行制御に用いられる第２のゲーム情報を変更するよう制御する第１の制御手段と、
を有するゲーム装置。
【請求項２】
前記第１の制御手段は、前記第２のゲーム情報に含まれる、前記第２のゲームコンテンツのゲーム要素の情報及びプレイヤについて付与されている特典の情報の少なくともいずれかを変更するよう制御する請求項１に記載のゲーム装置。
【請求項３】
前記第１の制御手段による前記第２のゲーム情報の変更は、前記第２の種別の物品において使用可能な状態にある前記第２のゲームコンテンツのゲーム要素のゲームパラメータをゲームを有利に進行せしめる状態にする変更、前記第２の種別の物品において使用可能な状態にない前記第２のゲームコンテンツのゲーム要素を使用可能な状態にする変更、及び前記第２の種別の物品における前記第２のゲームコンテンツのゲームを有利に進行せしめる特典を付与する変更、の少なくともいずれかを含む請求項２に記載のゲーム装置。
【請求項４】
前記第１の制御手段は、前記第２のゲーム情報を変更するための情報を前記第２の種別の物品に取得させることにより、前記第２のゲーム情報を変更する請求項１乃至３のいずれか１項に記載のゲーム装置。
【請求項５】
前記第２のゲーム情報は、前記第２の種別の物品とは異なる外部装置において管理されており、
前記第１の制御手段は、前記第２のゲーム情報の変更要求を前記外部装置に送出することにより、前記第２のゲーム情報を変更する請求項１乃至３のいずれか１項に記載のゲーム装置。
【請求項６】
前記第１の制御手段は、前記第１のゲームコンテンツのゲームが実行された際に、前記プレイヤ情報または前記プレイヤ情報と関連付けて管理されるプレイヤ関連情報が所定の条件を満たす場合に、前記第２のゲーム情報を変更するよう制御する請求項１乃至５のいずれか１項に記載のゲーム装置。
【請求項７】
前記ゲーム装置は、
対価の支払いを検出する検出手段と、
前記第１の種別の物品を提供する第１の提供手段と、
をさらに有し、
前記実行手段は、前記検出手段により対価の支払いが検出されたことに応じて前記第１のゲームコンテンツのゲームを実行し、
前記第１の提供手段は、前記検出手段により対価の支払いが検出されたことに応じて前記第１の種別の物品を提供する請求項６に記載のゲーム装置。
【請求項８】
前記プレイヤ情報または前記プレイヤ関連情報は、対価の支払いに応じた前記実行手段による前記第１のゲームコンテンツのゲームの実行中または実行後に更新される、プレイヤの前記第１のゲームコンテンツの利用状況の情報を含み、
前記第１の制御手段は、前記第１のゲームコンテンツの利用状況の情報が前記所定の条件を満たす場合に、前記第２のゲーム情報を変更するよう制御する請求項７に記載のゲーム装置。
【請求項９】
前記第１のゲームコンテンツの利用状況は、プレイヤの前記第１のゲームコンテンツのゲームのプレイ回数、プレイヤの同一の前記ゲーム装置における前記第１のゲームコンテンツのゲームのプレイ回数、プレイヤの前記第１のゲームコンテンツのゲームのプレイに係る対価の支払回数、プレイヤの前記第１のゲームコンテンツのゲームのプレイに係る対価の支払総額、及びプレイヤに対して提供された前記第１の種別の物品の総数、の少なくともいずれかを含む請求項８に記載のゲーム装置。
【請求項１０】
前記プレイヤ情報または前記プレイヤ関連情報は、プレイヤの前記第２のゲームコンテンツの利用状況の情報を含み、
前記ゲーム装置は、前記第２のゲームコンテンツの利用状況の情報に応じて、前記ゲーム装置の動作を制御する第２の制御手段をさらに有する請求項７乃至９のいずれか１項に記載のゲーム装置。
【請求項１１】
前記第２の制御手段は、前記第２のゲームコンテンツの利用状況の情報に基づいて、前記第１のゲームコンテンツのゲームの進行を異ならせるよう前記実行手段を制御する請求項１０に記載のゲーム装置。
【請求項１２】
前記第２の制御手段は、前記第２のゲームコンテンツの利用状況が物品提供に係る第１の提供条件を満たす場合に、対価の支払いを要件とせずに、前記第１の種別の物品を提供させるよう前記第１の提供手段を制御する請求項１０または１１に記載のゲーム装置。
【請求項１３】
前記ゲーム装置は、前記第１のゲームコンテンツのゲームのプレイ内容に応じて、対価の支払いを要件とせずに、前記第１の種別の物品及び前記第２の種別の物品とは異なる第３の種別の物品を提供する第２の提供手段をさらに有し、
前記第２の制御手段は、前記第２のゲームコンテンツの利用状況が物品提供に係る第２の提供条件を満たす場合に、前記第１のゲームコンテンツのゲームのプレイ内容に依らず、前記第３の種別の物品を提供させるよう前記第２の提供手段を制御する請求項１２に記載のゲーム装置。
【請求項１４】
前記第２の提供条件は、前記第１の提供条件が満たされることを前提とする請求項１３に記載のゲーム装置。
【請求項１５】
前記第２の提供手段は、操作部を有し、該操作部への操作がなされたことに応じて前記第３の種別の物品を提供するよう構成され、
前記第２の制御手段は、前記第２のゲームコンテンツの利用状況が前記第２の提供条件を満たす場合に、対価の支払いに応じた前記実行手段による前記第１のゲームコンテンツのゲームの実行中、または実行完了後における所定の期間に、前記操作部を操作可能な状態に制御することで、前記第３の種別の物品を提供させるよう前記第２の提供手段を制御する請求項１３または１４に記載のゲーム装置。
【請求項１６】
前記第１の種別の物品及び前記第３の種別の物品は、前記ゲーム装置により提供可能に構成される一方で、前記第２の種別の物品は、前記ゲーム装置により提供されない請求項１３乃至１５のいずれか１項に記載のゲーム装置。
【請求項１７】
前記第２のゲームコンテンツの利用状況は、プレイヤの前記第２のゲームコンテンツのゲームのプレイ回数、プレイヤが前記第２のゲームコンテンツのゲームを連続してプレイした日数、プレイヤが前記第２のゲームコンテンツのゲームのプレイによって達成したゲーム内条件、プレイヤが前記第２のゲームコンテンツについて行った課金回数、及びプレイヤが前記第２のゲームコンテンツについて行った課金総額、の少なくともいずれかを含む請求項１０乃至１６のいずれか１項に記載のゲーム装置。
【請求項１８】
コンピュータを、請求項１乃至１７のいずれか１項に記載のゲーム装置の各手段として機能させるためのプログラム。
【請求項１９】
第１の種別の物品から第１のゲーム情報が取得されることで進行制御がなされる第１のゲームコンテンツのゲームを実行する第１の実行手段を有するゲーム装置と、前記第１のゲームコンテンツとは異なる第２のゲームコンテンツのゲームを実行する第２の実行手段を有する第２の種別の物品とで構成されるゲームシステムであって、
前記ゲーム装置は、
前記第１の種別の物品から前記第１のゲーム情報を取得する第１の取得手段と、
前記第２の種別の物品から、少なくとも前記第２のゲームコンテンツについてプレイヤごとに管理されるプレイヤ情報を取得する第２の取得手段と、
前記第１の実行手段により前記第１のゲームコンテンツのゲームが実行されたことに応じて、前記第２の取得手段により取得された前記プレイヤ情報と対応付けられた前記第２のゲームコンテンツのゲームの進行制御に用いられる第２のゲーム情報を変更するよう制御する制御手段と、
を有し、
前記第２の実行手段は、前記制御手段による前記第２のゲーム情報の変更があった場合に、変更後の前記第２のゲーム情報を用いて前記第２のゲームコンテンツのゲームの進行制御を行うゲームシステム。
【発明の詳細な説明】
【技術分野】
【０００１】
本発明は、ゲーム装置、プログラム及びゲームシステムに関し、特に物品から取得された情報に基づいてゲームのプレイ体験を提供するゲーム装置に関する。
【背景技術】
【０００２】
業務用途、家庭用途に限らず、多様なゲーム用ハードウェアが流通しており、同一のゲームタイトルについて、複数種類のゲーム用ハードウェアに展開して、各々異なるゲームコンテンツの提供がなされている。このようなゲームコンテンツは、ゲーム用ハードウェアの特性に特化した要素を取り入れる等、それぞれ異なる興趣体験を提供している。例えば、コードが付されたカードを読み取らせることで、該カードに対応付けられたキャラクタを登場させたゲームのプレイ体験をユーザに提供するゲーム装置も存在する（特許文献１）。
【先行技術文献】
【特許文献】
【０００３】
【特許文献１】特開平０６−１５４４２１号公報
【発明の概要】
【発明が解決しようとする課題】
【０００４】
ところで、上述したような同一ゲームタイトルに係る複数のゲームコンテンツは、主要キャラクタやアイテム等のゲーム内オブジェクトは共通するが、それぞれ独立して開発がなされる等の実情から、プレイヤに対応付けられたゲームデータ（ゲームの進行状況等）は基本的には異なるハードウェア間で共有されない。故に、プレイヤは特定のハードウェアで提供されるゲームコンテンツにおいて積極的なゲームプレイや投資を行って好適な進行状況にしたとしても、他のハードウェアで展開される同一タイトルのゲームコンテンツでそのプレイ履歴に基づく恩恵を享受することができない。
【０００５】
特に近年では、携帯電話、スマートホン、タブレット等の、汎用的で、かつ携帯性に優れたハードウェアにゲームコンテンツの利用者が偏る傾向にあり、利用者が体験する興趣要素も限定的になりつつある。換言すれば、他のハードウェアにて展開されているゲームコンテンツの利用は低減し得、利用者のゲームタイトルに対する関心を持続させにくい可能性があった。
【０００６】
本発明は、上述の問題点に鑑みてなされたものであり、複数のハードウェアで提供されるゲームコンテンツの利用を促し、プレイヤの関心を持続させるゲーム装置、プログラム及びゲームシステムを提供することを目的とする。
【課題を解決するための手段】
【０００７】
前述の目的を達成するために、本発明のゲーム装置は、第１の種別の物品から第１のゲーム情報が取得されることで進行制御がなされる第１のゲームコンテンツのゲームを実行する実行手段を有するゲーム装置であって、第１の種別の物品から第１のゲーム情報を取得する第１の取得手段と、第１のゲームコンテンツとは異なる第２のゲームコンテンツのゲームを実行する第２の種別の物品から、少なくとも第２のゲームコンテンツについてプレイヤごとに管理されるプレイヤ情報を取得する第２の取得手段と、実行手段により第１のゲームコンテンツのゲームが実行されたことに応じて、第２の取得手段により取得されたプレイヤ情報と対応付けられた第２のゲームコンテンツのゲームの進行制御に用いられる第２のゲーム情報を変更するよう制御する第１の制御手段と、を有する。
【発明の効果】
【０００８】
このような構成により本発明によれば、複数のハードウェアで提供されるゲームコンテンツの利用を促し、プレイヤの関心を持続させることが可能となる。
【図面の簡単な説明】
【０００９】
【図１】本発明の実施形態に係るゲームシステムの構成を示したシステム図
【図２】本発明の実施形態に係るゲーム装置１００の機能構成を示したブロック図
【図３】本発明の実施形態に係る携帯ゲーム端末２００の機能構成を示したブロック図
【図４】本発明の実施形態に係るサーバ３００の機能構成を示したブロック図
【図５】本発明の実施形態に係るゲーム装置１００において実行される提供処理を例示したフローチャート
【図６】本発明の実施形態に係る各種情報のデータ構成を例示した図
【発明を実施するための形態】
【００１０】
［実施形態］
以下、本発明の例示的な実施形態について、図面を参照して詳細に説明する。なお、以下に説明する一実施形態は、ゲームシステムの一例としての、物品からの情報取得を可能に構成されたゲーム装置と、該ゲーム装置とは異なるゲームを実行可能に構成された携帯ゲーム端末で構成されるゲームシステムに、本発明を適用した例を説明する。しかし、本発明は、ゲームを実行可能に構成された物品からの情報取得が可能な任意の機器に適用可能である。
【００１１】
本実施形態のゲーム装置において提供される第１のゲームコンテンツ（筐体コンテンツ）は、いずれも必須ではないが、ゲームプレイに際し、以下の２種類の物品から情報取得を行わせることができるものとして説明する。
【００１２】
１種類は、本発明に係る第１の種別の物品としてのゲームカードであり、本発明に係る第１のゲーム情報としての、筐体コンテンツに係るカード情報を有する。ゲームカードは、カード情報を取得させることで、該カードに対応付けられたゲーム要素（例えばキャラクタ）を筐体コンテンツのゲームに登場させる、該ゲーム要素のゲームパラメータをゲームカードに付された情報に設定する等、筐体コンテンツのゲームの進行制御を可能ならしめる。
【００１３】
以下の説明において、第１の種別の物品はゲームカードであるものとして説明するが、第１の種別の物品はゲームカードに限られるものではない。第１の種別の物品は、少なくとも対応付けられたゲーム要素を特定するための情報を含む第１のゲーム情報を取得可能に構成された物品であれば、例えばゲーム要素（キャラクタやアイテム）の外観を有するフィギュア、玩具体、キーホルダー等の造形物であってよい。この場合、第１のゲーム情報は、該造形物の内部の記録媒体、あるいは該造形物に付された塗装、シール、印字、形状等の外観の一部から取得可能であってよい。また第１の種別の物品は造形物だけでなく、ゲームカード以外の紙媒体やシール等、任意の物品であってよい。また本実施形態では第１の種別の物品に付される第１のゲーム情報は、所定の変換演算を適用することで１次元あるいは多次元のパターン（コード）に変換され、ゲームカード表面に印刷される態様でゲームカードに付されるものとして説明する。ゲームカードのコードは、後述のリーダにより読み取られることで、該第１のゲーム情報が取得可能に構成されるものとして説明する。しかしながら、第１のゲーム情報をゲームカードに付す態様は、このような可視の情報としてゲームカードに付されるものに限らず、不可視インクでの印刷により付される、あるいはゲームカードに含まれるＩＣチップ等の記録媒体に記録され、データとして保持される等、どのようなものであってもよい。
【００１４】
また本実施形態ではゲーム装置が実行する筐体コンテンツのゲームにおいて、第１の種別の物品に係るゲームカードを用いることで登場させることが可能となるゲーム要素は、キャラクタであるものとし、ゲームカードには対応するキャラクタの図柄（キャラクタ画像）が付されるものとして説明する。しかしながら、本発明の実施はこれに限られるものではなく、筐体コンテンツのゲーム要素を特定する用途のゲームカードは、筐体コンテンツのゲームに係るキャラクタを特定可能に構成されるものに限らず、アイテム、発動する効果等、その他のゲーム要素を特定するものであってもよいことは言うまでもない。
【００１５】
もう１種類は、本発明に係る第２の種別の物品としての携帯ゲーム端末であり、ゲーム装置においてプレイ体験の提供がなされる第１のゲームコンテンツ（筐体コンテンツ）とは異なる第２のゲームコンテンツ（携帯コンテンツ）の各種処理を実行し、携帯コンテンツのゲームのプレイ体験を提供することが可能に構成される。本実施形態では携帯ゲーム端末は、常に情報取得させることが可能な状態ではないものとし、ゲーム装置に情報取得させる場合には、少なくとも携帯コンテンツについてプレイヤごとに管理されているプレイヤ情報を取得させることが可能な状態に遷移するものとする。該状態は、例えばプレイヤ情報に所定の変換演算を適用することで変換した１次元あるいは多次元のパターン（コード）が、携帯ゲーム端末の表示部に表示され、これをゲーム装置のリーダにより読み取らせることでプレイヤ情報が取得可能な状態であってよい。また、プレイヤ情報に対応する信号を含む音声信号を再生して音声出力することで、ゲーム装置のマイクが集音することでプレイヤ情報が取得可能な状態であってもよいし、ゲーム装置と携帯ゲーム端末で有線／無線の通信接続が確立することで、機器間でプレイヤ情報の送受信が可能な状態であってもよい。
【００１６】
なお、本実施形態では携帯ゲーム端末は、筐体コンテンツのゲーム進行に寄与する情報を有していないものとして説明するが、本発明の実施はこれに限られるものではなく、筐体コンテンツのゲームは携帯ゲーム端末から取得された情報に基づいて進行制御が行われるものであってもよい。
【００１７】
また以下の説明において、第２の種別の物品としての携帯ゲーム端末は、種々の用途で使用可能な、外部装置と通信機能を有する携帯電話、スマートホン、タブレット端末等の汎用的な通信端末であるものとして説明するが、本発明の実施はこれに限られるものではない。第２の種別の物品は、ゲーム装置において実行される筐体コンテンツ（第１のゲームコンテンツ）とは異なる携帯コンテンツ（第２のゲームコンテンツ）のゲームを実行可能に構成された物品であればよく、例えば第２のゲームコンテンツのゲームのみをプレイ可能に構成されたゲーム専用端末、第２のゲームコンテンツのゲームの実行機能を備えた玩具体等であってもよい。
【００１８】
また、本実施形態では筐体コンテンツと携帯コンテンツとは、同一のゲームタイトルに係る異なるゲームコンテンツであるものとして説明するが、本発明の実施はこれに限られるものではない。ゲーム装置１００と携帯ゲーム端末２００とでプレイ体験が提供されるゲームコンテンツは、例えばコンテンツ間でのコラボレーション企画が実施されているゲームコンテンツ、派生コンテンツ等の所謂スピンオフコンテンツ等、関連性を有するゲームタイトルの各々について、異なるハードウェアについて提供されるゲームコンテンツを指すものであってもよい。また関連性を有していなくとも、例えばプレイヤの管理に共通のプレイヤＩＤの使用が可能に構成された異なるゲームタイトルのゲームコンテンツを指すものであってもよい。
【００１９】
《ゲームシステムの構成》
ここで、本発明の実施形態に係るゲームシステムのシステム構成について、図１を用いて説明する。図示されるように、ゲームシステムは、ネットワーク４００を介することでゲーム装置１００、携帯ゲーム端末２００、サーバ３００の各々が通信可能に構成される。なお、以下の説明では、携帯ゲーム端末２００とサーバ３００においてゲーム装置１００と同様の機能を実現する構成要素については、それぞれ「携帯」、「サーバ」の接頭文字を付して峻別する。
【００２０】
〈ゲーム装置１００の構成〉
まず、ゲーム装置１００の機能構成について、図２のブロック図を用いて説明する。
【００２１】
制御部１０１は、例えばＣＰＵであり、ゲーム装置１００が有する各ブロックの動作を制御する。具体的には制御部１０１は、例えば記録媒体１０２に記録されている各ブロックの動作プログラムを読み出し、メモリ１０３に展開して実行することにより各ブロックの動作を制御する。
【００２２】
記録媒体１０２は、例えば不揮発性メモリやＨＤＤ等の、恒久的にデータを保持可能な記録装置である。記録媒体１０２は、ゲーム装置１００が有する各ブロックの動作プログラムに加え、各ブロックの動作において必要となるパラメータ等の情報や、ゲーム装置１００が実行する筐体コンテンツのゲームに使用される各種のグラフィックスデータを記憶する。メモリ１０３は、例えば揮発性メモリ等の一時的なデータ記憶に使用される記憶装置である。メモリ１０３は、各ブロックの動作プログラムの展開領域としてだけでなく、各ブロックの動作において出力されたデータ等を一時的に記憶する格納領域としても用いられる。
【００２３】
支払検出部１０４は、ゲーム装置１００において対価の支払いがなされたことを検出する。対価の支払いは、例えば硬貨の投入口に所定の金額の硬貨や相当するコインが投入されたこと、あるいは所定の電子マネーに係るチップとの通信に基づく決算処理の完了等を検出することにより判断されるものであってよい。本実施形態のゲーム装置１００は、対価の支払いに基づいてプレイヤへのゲームカードの提供を伴う、筐体コンテンツの体験に係るサービス提供を開始するものとして説明するが、対価の支払いは必須の要件ではなく、所定の開始指示に基づいてサービス提供は開始されるものであってもよい。
【００２４】
取得部１０５は、本実施形態のゲーム装置１００が提供するゲームのプレイに際し、第１リーダ１２０及び第２リーダ１３０を介してゲームカード及び携帯ゲーム端末２００からの情報取得を行う。第１リーダ１２０及び第２リーダ１３０は、ゲーム装置１００と同一筐体内に組み込まれる態様、あるいはゲーム装置１００の外部に着脱可能に接続される態様で設けられる。第１リーダ１２０と第２リーダ１３０は、それぞれゲームカード、携帯ゲーム端末２００からの情報取得が可能に構成されており、各々対応する物品が載置されたことを受けて、該物品から取得された情報を取得部１０５に出力する。このとき、ゲームカードまたは携帯ゲーム端末２００から取得された情報（カード情報またはプレイヤ情報）を、ゲーム装置１００における各処理での利用に適した形式に変換するために、所定のデータ変換処理等が行われてもよい。第１リーダ１２０及び第２リーダ１３０は、対応物品からの情報取得可能な状態に制御されている期間において、所定の部位に該物品が載置されたことの検出、及び該物品の認識または該物品からの情報取得を、例えば撮像により得られた画像に所定の画像処理を適用することで行う。
【００２５】
本実施形態ではゲームカードは、例えば図６（ａ）に示されるようなデータ構造のカード情報を有しており、第１リーダ１２０は所定の載置部にゲームカードが載置された場合に、該カード情報を取得する。図示されるように、カード情報は、ゲームカードを一意に特定するカードＩＤ６０１に関連付けて、該カードに対応付けられた筐体コンテンツのキャラクタを特定するキャラクタＩＤ６０２を含んで構成される。また携帯ゲーム端末２００が情報取得可能な状態にある場合に、第２リーダ１３０が該携帯ゲーム端末２００から取得するプレイヤ情報は、少なくとも携帯コンテンツのゲームにおいてプレイヤの識別に用いられているプレイヤＩＤを有しているものとして説明する。
【００２６】
なお、本実施形態ではゲームカード及び携帯ゲーム端末２００から直接の情報取得を行う装置をリーダとして説明するが、リード（情報読み取り）機能のみを備える装置でなく、ライト（情報書き込み）機能をさらに備える装置であってもよい。この場合、ゲームカード及び携帯ゲーム端末の各々は情報を保持し、書き換え可能に構成された記憶媒体を内蔵しているものとする。
【００２７】
図１に示されるように、本実施形態のゲーム装置１００において第１リーダ１２０と第２リーダ１３０とは、操作盤上の異なる位置に設けられ、各々の位置においてそれぞれ異なる方式で情報取得を行うものとして説明する。しかしながら、本発明の実施において、第１リーダ１２０と第２リーダ１３０とを分離して設けること、及び情報取得の方式が異なることは必須の要件ではなく、第１リーダ１２０と第２リーダ１３０とは同一のリーダにより構成されるものであってもよい。
【００２８】
キャラクタＤＢ１０６は、筐体コンテンツのゲームに登場するものとして予め定められたキャラクタの各々についての情報（キャラクタ情報）を管理するデータベースである。本実施形態のゲーム装置１００で提供される筐体コンテンツのゲームでは、１回のゲームプレイに係るゲーム中に複数体のキャラクタが登場し得る。１つのキャラクタについて管理されるキャラクタ情報は、例えば図６（ｂ）に示されるように、キャラクタを一意に特定するキャラクタＩＤ６１１に関連付けて、該キャラクタを筐体コンテンツのゲームに登場させる際の画面生成に用いられるグラフィックスデータ等を含む描画用情報６１２、同じく音声提示に用いられる音声データ６１３、及びキャラクタの名称、属性等に加え、予め定められた体力（耐久力）、攻撃力、防御力、発動技、特殊スキル等のキャラクタ固有の能力を記述した進行パラメータ６１４を含む。進行パラメータ６１４は、キャラクタを登場させる筐体コンテンツのゲームにおいて参照される情報であり、該情報を使用することで提供されるゲームの進行制御が行われる。
【００２９】
提示制御部１０７は、ゲーム装置１００におけるプレイヤへの各種情報提示の制御を司る。本実施形態のゲーム装置１００では、プレイヤへの各種情報提示の手段として、画像（ゲーム画面、メニュー画面等）表示を行う表示部１４０、音声出力を行う音声出力部１５０を有するものとして説明するが、情報提示の手段はこれらに限られるものではなく、代替あるいは追加が可能であることは言うまでもない。
【００３０】
提示制御部１０７は、例えばＧＰＵ等の描画装置を含み、表示部１４０に表示させる画面を生成する際には所定の描画処理を行う。具体的には提示制御部１０７は、ゲーム装置１００の稼働中（ゲームプレイ中やスタンバイ状態中）において、制御部１０１により行われた処理や命令に基づいて必要な描画用オブジェクトに対して適当な演算処理を実行し、画面の描画を行う。生成した画面は、ゲーム装置１００と同一筐体内、あるいはゲーム装置１００の外部に着脱可能に接続された表示装置である表示部１４０に出力され、所定の表示領域中に表示されることでプレイヤに提示される。
【００３１】
また提示制御部１０７は、例えばサウンドボードやアンプ等の音声信号の出力／増幅を行う回路を含み、音声出力部１５０から出力させる音声を生成する際には所定の処理を行う。具体的には提示制御部１０７は、例えば予め記録媒体１０２に記録された音声データに基づき、同時に出力を行う音声データを確定し、これを電気的な音声信号に変換（Ｄ／Ａ変換）して音声出力部１５０に出力することで、音声出力を行う。音声出力部１５０は、所定のスピーカ等であってよく、入力された音声信号に基づく音波を出力する。
【００３２】
提供制御部１０８は、ゲーム装置１００において行われる各種物品の提供を制御する。本実施形態のゲーム装置１００は、ゲームカードと、本発明に係る第３の種別の物品としての玩具体の２種類の物品を提供可能に構成され、カード提供部１６０と玩具体提供部１７０から各々異なる種別の物品が提供可能に構成される。
【００３３】
提供制御部１０８は、対価の支払いに基づく筐体コンテンツの１回のゲームプレイにつき、通常１枚のゲームカードを提供させるようカード提供部１６０を制御する。本実施形態のゲーム装置１００において提供されるゲームカードは、対価の支払いがなされたことに対して、例えば筐体コンテンツに係る所定の遊戯（操作キャラクタを操作するゲームパート：対戦ゲーム）を実行するゲームシーケンスの開始前に提供されるものであり、筐体コンテンツのゲームのプレイ内容によらず、ゲームカードごとに予め定められた（固定の）情報が付されている。カード提供部１６０は、例えばカードディスペンサであり、鉛直方向にゲームカードを堆積する不図示のストッカを有し、提供制御部１０８によりなされた提供命令に応じてストッカ最下部に保持されているゲームカードを１枚送出する機構を有する構成であってよい。提供されたゲームカードは、カード提供部１６０がゲーム装置１００と同一筐体内に内蔵される場合は、ゲーム装置１００の外部からアクセス可能な取出口１６１（図１参照）に導かれることでプレイヤに提供されてよい。本実施形態のゲーム装置１００により提供されるゲームカードは、予め印刷製造された既製カードであり、カード表面に印刷されるキャラクタ画像やパラメータ等のデザインが固定的で、全て同形同大に形成される。
【００３４】
一方、提供制御部１０８は、対価の支払いに応じて実行された筐体コンテンツのゲームについて、そのプレイ内容に応じて１つの玩具体を提供させるよう玩具体提供部１７０を制御する。本実施形態のゲーム装置１００において提供される玩具体は、例えばキャラクタやアイテムのキーホルダー、フィギュア等、筐体コンテンツに関連する玩具体であり、カプセルに封入された状態で玩具体提供部１７０の収容部に収容される。また玩具体提供部１７０は、操作部１７１（図１参照）を有しており、該操作部１７１に対する操作がなされたことに応じて、送出機構が駆動し、収容部からカプセル（玩具体）がプレイヤに提供される。操作部１７１は、提供制御部１０８により操作可能な状態であるか否かが制御されるものであり、通常は操作不可能な状態（操作ロック状態）にあり、玩具体の提供条件が満たされた場合に、所定の期間、操作可能な状態（操作解放状態）に制御される。本実施形態では簡単のため、玩具体はゲーム装置１００により情報取得可能に構成されたものではないものとして説明する。しかしながら、本発明の実施はこれに限られるものではなく、玩具体に筐体コンテンツに係る情報が付されている、あるいは玩具体が該情報を記録可能に構成され、該情報を取得することでゲーム装置１００において提供されるプレイ体験等が変化するものであってもよいことは言うまでもない。
【００３５】
操作入力部１０９は、例えば方向入力用の操作部材や決定入力用の操作部材や各種センサ等の、ゲーム装置１００が有するユーザインタフェースである。操作入力部１０９は、操作部材に対する操作入力がなされたことを検出すると、該操作入力に対応する制御信号を制御部１０１に出力する。なお、本実施形態ではゲーム装置１００は物理的な操作部材として各種インタフェースを備えるものとして説明するが、例えば表示部１４０の画面上になされたタッチ入力を検出するタッチ入力検出センサ等を含んでいてもよい。
【００３６】
通信部１１０は、ゲーム装置１００が有する外部装置との通信インタフェースである。通信部１１０は、インターネット等の通信網や機器間を接続するケーブルであってもよいネットワーク４００（有線・無線を問わない）を介して外部装置と接続し、データの送受信を可能とすることができる。通信部１１０は、例えば送信対象として入力された情報を所定の形式のデータに変換し、ネットワーク４００を介してサーバ等の外部装置に送信する。また通信部１１０は、例えばネットワーク４００を介して外部装置から情報を受信すると、該情報を復号し、メモリ１０３に格納する。また本実施形態のゲーム装置１００は、筐体コンテンツのプログラムをパッケージ化したプログラムデータを通信部１１０を介して外部装置から受信可能に構成される。制御部１０１は、通信部１１０により該プログラムデータがプログラムの更新要求とともに受信された場合、更新要求に従って現在記録媒体１０２に格納されている筐体コンテンツのプログラムを、受信したプログラムデータを用いて更新することができる。なお、筐体コンテンツのプログラムの更新処理は、この他、例えば記録媒体に記録されているプログラムデータをゲーム装置が有する不図示の光学ドライブ等に挿入した際に自動実行される、あるいは挿入後に管理者が開始命令を行うことによっても実行可能である。
【００３７】
〈携帯ゲーム端末２００の構成〉
次に、携帯ゲーム端末２００の機能構成について、図３のブロック図を用いて説明する。
【００３８】
携帯制御部２０１は、例えばＣＰＵであり、携帯ゲーム端末２００が有する各ブロックの動作を制御する。具体的には携帯制御部２０１は、例えば携帯記録媒体２０２に記録されている、各ブロックの動作プログラムや携帯コンテンツに係るアプリケーションプログラムを読み出し、携帯メモリ２０３に展開して実行することにより各ブロックの動作を制御する。上述したように、本実施形態の携帯ゲーム端末２００は汎用的な通信端末であり、携帯コンテンツに係るアプリケーションをインストールして起動することにより、プレイヤに携帯コンテンツのゲームプレイを提供する。
【００３９】
携帯記録媒体２０２は、例えば不揮発性メモリやＨＤＤ等の、恒久的にデータを保持可能な記録装置である。携帯記録媒体２０２は、携帯ゲーム端末２００が有する各ブロックの動作プログラムや携帯コンテンツに係るアプリケーションプログラムに加え、各ブロックの動作において必要となるパラメータ等の情報を記録する。また携帯記録媒体２０２は、携帯コンテンツの利用にあたり、プレイヤ認証や進行状況のセーブ／ロードに用いられるプレイヤ情報を記録する。携帯メモリ２０３は、例えば揮発性メモリ等の一時的なデータ記憶に使用される記憶装置である。携帯メモリ２０３は、各ブロックの動作プログラムやアプリケーションプログラムの展開領域としてだけでなく、各ブロックの動作において出力されたデータ等を一時的に記憶する格納領域としても用いられる。
【００４０】
携帯提示制御部２０４は、携帯ゲーム端末２００におけるプレイヤへの各種情報提示の制御を司る。本実施形態の携帯ゲーム端末２００では、プレイヤへの各種情報提示の手段として、画像（ゲーム画面、メニュー画面等）表示を行う携帯表示部２４０、音声出力を行う携帯音声出力部２５０を有するものとして説明するが、情報提示の手段はこれらに限られるものではなく、代替あるいは追加が可能であることは言うまでもない。携帯表示部２４０及び携帯音声出力部２５０を用いる提示制御は、ゲーム装置１００の提示制御部１０７について記載したものと同等であってよく、説明は省略する。
【００４１】
携帯操作入力部２０５は、例えばタッチ入力検出センサ等の各種センサ、電源ボタンや機能ボタン等の操作部材を含む、携帯ゲーム端末２００が有するユーザインタフェースである。携帯操作入力部２０５は、各ユーザインタフェースに対する操作入力がなされたことを検出すると、該操作入力に対応する制御信号を携帯制御部２０１に出力する。
【００４２】
携帯通信部２１０は、携帯ゲーム端末２００が有する外部装置との通信インタフェースである。携帯通信部２１０は、ネットワーク４００を介して外部装置と接続し、データの送受信を可能とすることができる。携帯通信部２１０は、例えば送信対象として入力された情報を所定の形式のデータに変換し、ネットワーク４００を介してサーバ等の外部装置に送信する。また携帯通信部２１０は、例えばネットワーク４００を介して外部装置から情報を受信すると、該情報を復号し、携帯メモリ２０３に格納する。また本実施形態の携帯ゲーム端末２００は、携帯通信部２１０を介して所定のアプリケーションサーバから所望のアプリケーションプログラムをダウンロードし、インストールすることが可能に構成されている。また本実施形態では、ゲーム装置１００へのプレイヤ情報の送信は、第２リーダ１３０で読み取り可能なコードを携帯提示制御部２０４が携帯表示部２４０に表示させ、これを第２リーダ１３０が読み取ることによって行われるものとして説明するが、携帯通信部２１０を介してゲーム装置１００と直接的または間接的に通信接続し、行われるものであってもよい。
【００４３】
〈サーバ３００の構成〉
次に、サーバ３００の機能構成について、図４のブロック図を用いて説明する。なお、本実施形態のサーバ３００は、筐体コンテンツを利用する各プレイヤの情報管理、携帯コンテンツを利用する各プレイヤの情報管理、及び各プレイヤの携帯コンテンツのゲームプレイに係るゲームデータの管理を、サーバ３００が一括して行うものとして説明するが、本発明の実施はこれに限られるものではなく、各種管理は２以上の機器に分離して実現されるものであってもよい。
【００４４】
サーバ制御部３０１は、例えばＣＰＵであり、サーバ３００が有する各ブロックの動作を制御する。具体的にはサーバ制御部３０１は、例えばサーバ記録媒体３０２に記録されている各ブロックの動作プログラムを読み出し、サーバメモリ３０３に展開して実行することにより各ブロックの動作を制御する。
【００４５】
サーバ記録媒体３０２は、例えば不揮発性メモリやＨＤＤ等の、恒久的にデータを保持可能な記録装置である。サーバ記録媒体３０２は、サーバ３００が有する各ブロックの動作プログラムに加え、各ブロックの動作において必要となるパラメータ等の情報を記憶する。サーバメモリ３０３は、例えば揮発性メモリ等の一時的なデータ記憶に使用される記憶装置である。サーバメモリ３０３は、各ブロックの動作プログラムの展開領域としてだけでなく、各ブロックの動作において出力されたデータ等を一時的に記憶する格納領域としても用いられる。
【００４６】
プレイヤＤＢ３０４は、筐体コンテンツ及び携帯コンテンツについて、ゲームの進行状況以外の情報（プレイヤ関連情報）をプレイヤごとに管理するデータベースである。本実施形態では簡単のため、共通のプレイヤ情報を使用して筐体コンテンツ及び携帯コンテンツのゲームプレイが可能であるものとし、プレイヤＤＢ３０４では各プレイヤについて図６（ｃ）に示されるデータ構造のプレイヤ関連情報が管理されるものとして説明する。図示されるようにプレイヤ関連情報は、プレイヤを識別するプレイヤＩＤ６２１に関連付けて、該プレイヤの筐体コンテンツの利用状況を示す筐体コンテンツ利用情報６２２、及び該プレイヤの携帯コンテンツの利用状況を示す携帯コンテンツ利用情報６２３を管理する。
【００４７】
筐体コンテンツ利用情報６２２は、例えば、プレイヤが行った筐体コンテンツのゲームのプレイ回数、プレイヤが同一のゲーム装置１００で行った筐体コンテンツのゲームのプレイ回数（複数設置されているゲーム装置１００のそれぞれでのプレイ回数）、プレイヤが筐体コンテンツのゲームのプレイに対し対価を支払った回数、プレイヤが筐体コンテンツのゲームのプレイに対し支払った対価の総額、及びプレイヤに対して提供されたゲームカードの総数、の少なくともいずれかを含むものであってよい。
【００４８】
また携帯コンテンツ利用情報６２３は、例えば、プレイヤが行った携帯コンテンツのゲームのプレイ回数、プレイヤが携帯コンテンツのゲームを連続してプレイした日数、プレイヤが携帯コンテンツのゲームのプレイによって達成したゲーム内条件、プレイヤが携帯コンテンツに対し課金を行った回数、及びプレイヤが携帯コンテンツに対し課金した総額、の少なくともいずれかを含むものであってよい。
【００４９】
ゲームＤＢ３０５は、各プレイヤについて、該プレイヤが行った携帯コンテンツのゲームの進行状況の情報（携帯ゲーム情報）を管理するデータベースである。携帯ゲーム情報は、携帯ゲーム端末２００において携帯コンテンツのアプリケーションが起動された際には携帯ゲーム端末２００に伝送され、またアプリケーションにおいて所定の処理が実行されたことを契機として更新され、携帯ゲーム端末２００との間で共有される。携帯ゲーム情報は、例えば図６（ｄ）に示されるように、プレイヤを識別するプレイヤＩＤ６３１に関連付けて、該プレイヤが携帯コンテンツのゲームプレイにおいて取得して使用可能（所有状態）となったキャラクタを管理する所有キャラクタ情報６３２、同様に取得して使用可能となったアイテムを管理する所有アイテム情報６３３、及び後述する携帯コンテンツのゲームの進行を有利にせしめる特典が付与されたか否かを示す特典付与フラグ６３４（論理型、真で付与されている状態）を管理する。
【００５０】
ここで、所有キャラクタ情報６３２は、所有状態となったキャラクタの各々について、該キャラクタのキャラクタＩＤ６４１に関連付けて、例えば体力、攻撃力、防御力等、ゲーム中における該キャラクタの各種パラメータを示すゲームパラメータ６４２、及びプレイヤが同一のキャラクタを所有している数を示すキャラクタ所有数６４３を含むものであってよい。同様に所有アイテム情報６３３は例えば、所有状態となったアイテムの各々について、該アイテムのアイテムＩＤ６５１に関連付けて、プレイヤが同一のアイテムを所有している数を示すアイテム所有数６５２を含むものであってよい。
【００５１】
サーバ通信部３１０は、サーバ３００が有する外部装置との通信インタフェースである。サーバ通信部３１０は、インターネット等の通信網や機器間を接続するケーブルであってもよいネットワーク４００（有線・無線を問わない）を介して外部装置と接続し、データの送受信を可能とすることができる。サーバ通信部３１０は、例えば送信対象として入力された情報を所定の形式のデータに変換し、ネットワーク４００を介してゲーム装置１００及び携帯ゲーム端末２００等の外部装置に送信する。またサーバ通信部３１０は、例えばネットワーク４００を介して外部装置から情報を受信すると、該情報を復号し、サーバメモリ３０３に格納する。
【００５２】
《プレイヤ情報取得に基づく興趣要素の提供》
以下、本実施形態のゲームシステムにおいて行われる、筐体コンテンツのゲームプレイに際し、携帯ゲーム端末２００からプレイヤ情報を取得させることによってプレイヤに提供される各種興趣要素について説明する。
【００５３】
〈筐体ゲームコンテンツの利用に応じた提供〉
ゲーム装置１００の第２リーダ１３０にプレイヤ情報を携帯ゲーム端末２００から取得させて筐体コンテンツのゲームプレイを行った場合、該プレイに対する報奨として、プレイヤがプレイしている携帯コンテンツに係る携帯ゲーム情報が、筐体コンテンツの利用状況に応じて変更される。このとき行われる変更は、携帯ゲーム情報に含まれる携帯コンテンツのゲーム要素の情報及びプレイヤに対し付与されている特典の情報の少なくともいずれかを変更するものであってよく、本実施形態では携帯ゲーム情報のうち、所有キャラクタ情報６３２、所有アイテム情報６３３及び特典付与フラグ６３４の少なくともいずれかを変更する。
【００５４】
例えば所有キャラクタ情報６３２を変更する場合、所有状態にあるキャラクタのゲームパラメータ６４２及びキャラクタ所有数６４３の少なくともいずれかを上昇させることで、携帯コンテンツのゲーム進行を有利にせしめる状態とするものであってもよいし、所有状態にないキャラクタを新たに所有状態とするものであってもよい。また所有アイテム情報６３３も同様であってよい。この他、例えば携帯コンテンツの次の所定回数のゲームプレイの進行を有利にせしめる特典を付与するため、特典付与フラグ６３４を真とすることにより変更が行われるものであってもよい。
【００５５】
このような変更がなされた後（即ち、ゲーム装置１００において対価が支払われ、プレイヤ情報を携帯ゲーム端末２００から取得して行った筐体コンテンツのゲームプレイが完了した後）、携帯ゲーム端末２００において携帯コンテンツのゲームプレイが行われる際には、携帯制御部２０１は該変更後の携帯ゲーム端末２００に基づいてゲームの進行制御を行う。
【００５６】
なお、携帯ゲーム情報の変更は、プレイヤ関連情報の筐体コンテンツ利用情報６２２に応じて行われるものとし、筐体コンテンツの所定の遊戯（対戦ゲーム）の終了後あるいは遊戯中（もしくは、プレイ体験中、プレイ体験後）に更新され、該更新後の筐体コンテンツ利用情報６２２に応じて行われるものとして説明する。しかしながら、本発明の実施はこれに限られるものではなく、単にゲーム装置１００においてプレイヤ情報を取得させて筐体コンテンツのゲームプレイがなされたことをもって、携帯ゲーム情報を変更するよう制御するものとしてもよい。この場合、ゲーム装置１００における筐体コンテンツの利用状況の情報は、プレイヤごとに管理されていなくともよい。
【００５７】
〈携帯コンテンツの利用に応じた提供〉
また、本実施形態ではプレイヤの携帯コンテンツと筐体コンテンツの双方を利用を促進するため、携帯コンテンツの利用状況に応じて、ゲーム装置１００で提供する筐体コンテンツのプレイ体験を異ならせる。該変更は、プレイヤ関連情報の携帯コンテンツ利用情報６２３を参照することにより行われるものであり、基本的には携帯コンテンツの利用頻度が高いプレイヤや、携帯コンテンツに対し積極的に投資しているプレイヤの、好適な筐体コンテンツのプレイ体験を担保するよう行われる。換言すれば、例えば、プレイヤ関連情報の携帯コンテンツ利用情報６２３において管理される携帯コンテンツのゲームのプレイ回数が所定回数以上である、携帯コンテンツのゲームの連続プレイ日数が所定日数以上である、携帯コンテンツのゲームプレイにおいて所定のゲーム内条件を達成している、携帯コンテンツについて行われた課金回数が所定回数以上である、課金総額が所定額以上である等のカード提供条件を満たす場合に、プレイヤ情報を取得させて行う筐体コンテンツのゲームの進行を有利にせしめるよう、例えば使用キャラクタのゲームパラメータ等を調整することにより実現されるものであってよい。また例えば、これら回数や総額等が多いほど、進行が有利になるよう、段階的に調整の条件が定められているものであってもよい。
【００５８】
また本実施形態のゲーム装置１００は、ゲームカード及び玩具体の提供機能を有しているため、携帯コンテンツの利用状況に応じて、これらの物品を提供させるよう制御するものであってもよい。即ち、例えば筐体コンテンツをプレイしておらず、携帯コンテンツのみをプレイしているプレイヤであっても、ゲーム装置１００において筐体コンテンツのゲームプレイを行う際に好適なプレイ体験が提供されるよう、対価の支払いに応じて通常提供されるゲームカードに加え、携帯コンテンツの利用状況に応じたゲームカードを、対価の支払いを要件とせずにさらに提供するよう構成してもよい。あるいは、プレイヤ情報に対応して取得されたプレイヤ関連情報の携帯コンテンツ利用情報６２３がゲームカードの提供条件を満たす場合に、携帯コンテンツの利用状況に応じたゲームカードが提供されるよう構成してもよい。
【００５９】
また玩具体については、通常のゲームプレイでは筐体コンテンツのゲームのプレイ内容が玩具体提供条件を満たした場合に提供されるところ、プレイヤ情報を取得して行われるゲームプレイでは、携帯コンテンツの利用状況が別に定められた玩具体提供条件を満たす場合には、プレイ内容に依らず玩具体が提供されるよう制御するものであってよい。この場合、プレイヤ情報を取得せずに行われる通常の筐体コンテンツのプレイ体験において、ゲームカードは必ず提供される一方で、玩具体はプレイ内容に応じて条件が満たされた場合にのみ提供されるものであるため、携帯コンテンツ利用情報６２３による玩具体の提供条件も、ゲームカードの提供条件が満たされたことを前提とする等、ゲームカードよりも達成することが難しいよう定められるものであってよい。
【００６０】
《提供処理》
以下、このような構成をもつ本実施形態のゲームシステムのゲーム装置１００において筐体コンテンツのプレイ体験を提供する際に行われる提供処理について、図５のフローチャートを用いて具体的な処理を説明する。該フローチャートに対応する処理は、制御部１０１が、例えば記録媒体１０２に記憶されている対応する処理プログラムを読み出し、メモリ１０３に展開して実行することにより実現することができる。なお、本提供処理は、例えばゲーム装置１００がスタンバイ状態となっている期間に、対価の支払いがなされたことが支払検出部１０４により検出された際に開始されるものとして説明する。
【００６１】
Ｓ５０１で、提供制御部１０８は制御部１０１の制御の下、本提供処理の開始に係る対価の支払いに対し、ゲームカードを提供するようカード提供部１６０を制御する。また制御部１０１は、該ゲームカードの提供に際し、ゲームカードが提供される旨の通知を提示制御部１０７に行わせる。
【００６２】
Ｓ５０２で、制御部１０１は、今回のゲームプレイについてプレイヤ情報を取得したか否かを判断する。まず制御部１０１は、携帯ゲーム端末２００からプレイヤ情報の取得が可能である旨の通知を提示制御部１０７に提示させ、第２リーダ１３０を情報取得可能な状態に制御する。そして第２リーダ１３０が所定の期間内にプレイヤ情報を取得したか否か、あるいはプレイヤ情報の取得をスキップする旨の操作入力がなされたか否かを判断することにより、制御部１０１は本ステップの判断を行う。制御部１０１は、今回のゲームプレイについてプレイヤ情報を取得したと判断した場合は処理をＳ５０３に移し、取得しないと判断した場合は処理をＳ５０６に移す。
【００６３】
なお、本実施形態では携帯ゲーム端末２００において携帯コンテンツのアプリケーションが起動され、該アプリケーション内で所定の操作入力を行うことで、携帯コンテンツの利用に用いられているプレイヤ情報のコードが携帯表示部２４０に表示され、第２リーダ１３０に情報取得させることが可能な状態に携帯ゲーム端末２００がなるものとして説明するが、本発明の実施はこれに限られるものではない。例えば携帯コンテンツの利用に用いられているプレイヤ情報が、他のアプリケーションでのサービス利用にも用いられている態様においては、プレイヤ情報を管理する専用のアプリケーションが、このような動作を行うものであってもよい。また、携帯ゲーム端末２００が有するＩＣチップ等に付される固有の識別情報を、プレイヤ情報として代用するものであってもよい。
【００６４】
Ｓ５０３で、制御部１０１は、プレイヤ情報に含まれるプレイヤＩＤを通信部１１０に伝送し、プレイヤ関連情報の取得要求と共にサーバ３００に送信させる。そして制御部１０１は、サーバ３００から該プレイヤＩＤに対応付けられたプレイヤ関連情報を受信すると、処理をＳ５０４に移す。
【００６５】
Ｓ５０４で、制御部１０１は、受信したプレイヤ関連情報の携帯コンテンツ利用情報６２３を参照し、ゲームカードの提供条件が満たされるか否かを判断する。制御部１０１は、ゲームカードの提供条件が満たされると判断した場合は処理をＳ５０５に移し、満たされないと判断した場合は処理をＳ５０６に移す。
【００６６】
Ｓ５０５で、提示制御部１０７は制御部１０１の制御の下、ゲームカードを提供するようカード提供部１６０を制御する。また制御部１０１は、該ゲームカードの提供に際し、携帯ゲーム端末２００における携帯コンテンツの利用状況に基づいてゲームカードが提供される旨の通知を提示制御部１０７に行わせる。
【００６７】
Ｓ５０６で、制御部１０１は、今回のゲームプレイで登場させる相手キャラクタを決定する。本実施形態のゲーム装置１００で提供される筐体コンテンツのゲームは、それぞれプレイヤの操作に基づいて行動制御がなされる使用キャラクタ（プレイヤチーム）と、ＮＰＣ（Non-Player Character）としてゲームに登場する相手キャラクタとの間で行われる対戦ゲームであるものとして説明する。使用キャラクタ及び相手キャラクタの各々については、対戦ゲームに登場する数が予め定められており、本ステップにおいて制御部１０１は必要数の相手キャラクタを決定し、該相手キャラクタに係る対戦ゲーム用の情報をメモリ１０３の相手キャラクタ管理テーブルに追加して格納する。相手キャラクタの決定は、予め設けられた相手キャラクタや、相手キャラクタに関連付けられたクエスト等のうちからいずれかを選択する操作入力がなされたことに応じて行われるものであってもよいし、抽選処理や、例えばプレイヤ情報に対応付けて管理されている筐体コンテンツのプレイ進行状況や別途の記録媒体に記録されたプレイヤのプレイ進行状況の情報に応じて、操作入力を要さずに行われるものであってもよい。
【００６８】
なお、相手キャラクタ管理テーブルと後述の使用キャラクタ管理テーブルにて１体のキャラクタについて管理される１レコードの情報は、キャラクタ情報と同様の構成であってよく、決定された相手キャラクタのキャラクタＩＤに基づき、必要な情報がキャラクタＤＢ１０６から取得されて格納されればよい。
【００６９】
Ｓ５０７で、制御部１０１は、今回のゲームプレイにおいて対戦ゲームに登場させる、プレイヤの使用キャラクタを登録する登録処理を実行する。登録処理は、プレイヤがプレイヤチームとしての登場を所望するキャラクタに係るゲームカードのカード情報を、順次第１リーダ１２０に取得させることにより行われる。故に制御部１０１は、本ステップにおいて所定の期間、第１リーダ１２０を情報取得可能な状態に制御する。登録処理において取得部１０５は、例えば新たなゲームカードを検出した場合、取得部１０５は該カードに付されたコードを撮像した画像を取得し、所定の解析処理を適用することで、カード情報を取得する。そして制御部１０１は、該取得したカード情報のキャラクタＩＤ６０２に基づき、キャラクタＤＢ１０６から該当のキャラクタ情報を取得することで１レコード分の情報を構成し、該情報をメモリ１０３の使用キャラクタ管理テーブルに追加して格納する。このとき、例えばメモリ１０３にプレイヤ関連情報が存在するのであれば、制御部１０１は、該プレイヤ関連情報の携帯コンテンツ利用情報６２３に基づき、登録するキャラクタの進行パラメータを変更して追加するものであってもよい。
【００７０】
Ｓ５０８で、制御部１０１は、使用キャラクタの登録が終了したか否かを判断する。使用キャラクタの登録が終了したことは、プレイヤによる登録終了に係る操作入力がなされたことの検出や、上限数の使用キャラクタの登録が終了したことに基づいて判断されるものであってよい。制御部１０１は、使用キャラクタの登録が終了したと判断した場合は処理をＳ５０９に移し、登録がまだ終了していないと判断した場合は処理をＳ５０７に戻す。ここで、登録を終了する際に、登録された使用キャラクタの数が規定数に満たない場合は、今回の対戦ゲームに係り貸与するキャラクタを抽選処理等により選択し、該キャラクタの情報を使用キャラクタ管理テーブルに追加することで、使用キャラクタが規定数となるよう処理してもよい。
【００７１】
Ｓ５０９で、制御部１０１は、登録した使用キャラクタと相手キャラクタとが登場する対戦ゲームに係る、筐体コンテンツのゲーム処理を開始する。より詳しくは、制御部１０１は、使用キャラクタ管理テーブルと相手キャラクタ管理テーブルを参照し、各キャラクタの進行パラメータ６１４に基づいて進行制御を行うゲーム処理を開始する。
【００７２】
なお、本実施形態のゲーム装置１００で提供される対戦ゲームは、規定回数のラウンドが終了したこと、または登場するキャラクタの行動の結果、使用キャラクタ及び相手キャラクタのいずれかが全て行動不能な状態（例えば体力総和が０）となったことを条件として終了する。
【００７３】
Ｓ５１０で、制御部１０１は、対戦ゲームの終了条件が満たされたか否かを判断する。制御部１０１は、対戦ゲームの終了条件が満たされたと判断した場合は処理をＳ５１１に移し、満たされていないと判断した場合は終了条件が満たされるまで本ステップの処理を繰り返す。
【００７４】
Ｓ５１１で、制御部１０１は、行われたゲーム処理の結果、そのプレイ内容が玩具体の提供条件を満たしたか否かを判断する。制御部１０１は、行われた対戦ゲームのプレイ内容が玩具体の提供条件を満たしたと判断した場合は処理をＳ５１２に移し、満たされていないと判断した場合は処理をＳ５１３に移す。
【００７５】
Ｓ５１２で、提示制御部１０７は制御部１０１の制御の下、玩具体を提供可能なよう玩具体提供部１７０を制御する。具体的には提示制御部１０７は、操作部１７１を操作ロック状態から操作解放状態とし、操作部１７１への操作がなされた場合には所定の送出機構を駆動させ、収容部から玩具体が提供されるよう玩具体提供部１７０を制御する。また制御部１０１は、該玩具体の提供に際し、今回の対戦ゲームのプレイ内容に基づいて玩具体が提供される旨の通知を提示制御部１０７に行わせる。上述したように、操作解放状態とする時間は所定の期間であり、提示制御部１０７は該期間の経過後は操作部１７１を再度操作ロック状態に戻すものとする。また所定の期間が経過した後、制御部１０１は処理をＳ５１３に移す。
【００７６】
Ｓ５１３で、制御部１０１は、今回の筐体コンテンツのゲームプレイに基づき、プレイヤ関連情報を更新する。より詳しくは制御部１０１は、プレイヤ関連情報の筐体コンテンツ利用情報６２２を今回のゲームプレイを反映した状態に変更し、該情報を通信部１１０に伝送し、更新要求と共にサーバ３００に送信させて更新を行う。
【００７７】
Ｓ５１４で、制御部１０１は、今回のゲームプレイに際しプレイヤ情報を取得したか否かを判断する。制御部１０１は、今回のゲームプレイに際しプレイヤ情報を取得したと判断した場合は処理をＳ５１５に移し、取得していないと判断した場合は処理をＳ５１９に移す。
【００７８】
Ｓ５１５で、制御部１０１は、Ｓ５０３において受信したプレイヤ関連情報の携帯コンテンツ利用情報６２３を参照し、玩具体の提供条件が満たされるか否かを判断する。制御部１０１は、携帯コンテンツ利用情報６２３が玩具体の提供条件を満たすと判断した場合は処理をＳ５１６に移し、満たしていないと判断した場合は処理をＳ５１７に移す。
【００７９】
Ｓ５１６で、提示制御部１０７は制御部１０１の制御の下、玩具体を提供可能なよう玩具体提供部１７０を制御する。Ｓ５１２と同様、提示制御部１０７は所定の期間操作部１７１を操作解放状態とするよう状態制御を行うが、制御部１０１は該玩具体の提供に際し、携帯コンテンツの利用状況に基づいて玩具体が提供される旨の通知を提示制御部１０７に行わせる。所定の期間が経過した後、制御部１０１は処理をＳ５１７に移す。
【００８０】
Ｓ５１７で、制御部１０１は、今回の筐体コンテンツのゲームプレイを反映した筐体コンテンツ利用情報６２２が、プレイヤに係る携帯ゲーム情報を更新するものとして予め定められた条件を満たすか否かを判断する。制御部１０１は、筐体コンテンツ利用情報６２２が携帯ゲーム情報を更新する条件を満たすと判断した場合は処理をＳ５１８に移し、満たさないと判断した場合は処理をＳ５１９に移す。
【００８１】
Ｓ５１８で、制御部１０１は、今回の筐体コンテンツのゲームプレイを反映した筐体コンテンツ利用情報６２２に基づき、プレイヤに係る携帯ゲーム情報を更新する。制御部１０１は、携帯ゲーム情報の更新内容を決定し、プレイヤＩＤと該更新内容を示す情報を通信部１１０に伝送し、更新要求と共にサーバ３００に送信させて更新を行う。本実施形態では、ゲーム装置１００において更新内容が決定され、サーバ３００に送信されるものとして説明するが、本発明の実施はこれに限られるものではなく、例えば単にプレイヤＩＤと共に更新要求を送信することで、サーバ制御部３０１がゲームＤＢ３０５の該当する携帯ゲーム情報について、更新内容の決定及び更新を行うものであってもよい。また本ステップにより更新がなされた携帯ゲーム情報は、更新前に比べ、携帯ゲーム端末２００における携帯コンテンツのゲームの進行を有利にせしめる状態となっている。
【００８２】
Ｓ５１９で、制御部１０１は、今回のプレイ体験の提供終了に係る各種処理を実行し、本提供処理を完了する。該処理は、例えば提示制御部１０７によるゲーム結果の提示、スタンバイ状態への移行処理を含んでいてよい。
【００８３】
このようにすることで、本実施形態のゲーム装置によれば、複数のハードウェアで提供されるゲームコンテンツの利用を促し、プレイヤの関心を持続させることができる。より詳しくは、ゲーム装置１００における筐体コンテンツのゲームプレイに際して携帯コンテンツのゲームプレイに使用しているプレイ情報を取得し、該筐体コンテンツのゲームプレイがなされたことに応じて、プレイヤ情報に関連付けられた携帯コンテンツに係る携帯ゲーム情報をゲームの進行を有利にせしめる状態に更新することで、携帯コンテンツの興趣性を増大させるだけでなく、ゲーム装置１００により提供される興趣要素をプレイヤに提供し、コンテンツに対する関心を高め、持続させることができる。
【００８４】
また、携帯コンテンツの利用状況に応じて、筐体コンテンツのゲームプレイを有利に進行させ得る物品や希少な物品を提供する構成とすることで、携帯コンテンツを主として利用しているプレイヤを、筐体コンテンツのゲームプレイに好適に誘導することができる。また反対に、筐体コンテンツを主として利用しているプレイヤも物品の入手を所望し得るため、同様に携帯コンテンツのゲームプレイに好適に誘導することができる。従って、双方のコンテンツを利用するプレイヤを拡大し、コンテンツに対するプレイヤの関心を持続させることができる。
【００８５】
なお、本実施形態では携帯コンテンツに係る携帯ゲーム情報は、サーバ３００において管理されるものとし、ゲーム装置１００においてプレイヤ情報を用いた筐体コンテンツの利用がなされた場合には、ゲーム装置１００からサーバ３００に対してなされた要求に基づいて更新されるものとして説明したが、本発明の実施はこれに限られるものではない。該更新は、例えば、ゲーム装置１００から携帯ゲーム端末２００に対して更新用の情報が送信された後、携帯ゲーム端末２００からサーバ３００に対して送信されることで行われるものであってもよい。また携帯ゲーム端末２００が、例えば専用ゲーム端末や玩具体のようにネットワーク４００への接続機能を有していない機器である場合、携帯ゲーム情報はサーバ３００に管理されるのではなく、携帯ゲーム端末２００自体に管理される。この場合、筐体コンテンツのゲームプレイの後、携帯ゲーム情報を更新するための情報がゲーム装置１００から携帯ゲーム端末２００に伝送され（機器間の近接通信、もしくは表示部１４０に提示されたコードを携帯ゲーム端末２００を用いて認識）、該情報に基づいて携帯制御部２０１が携帯ゲーム情報を更新することにより実現されるものであってもよい。
【００８６】
また本実施形態ではゲーム装置１００における筐体コンテンツの利用に際し、携帯ゲーム端末２００からプレイヤ情報を取得し、該プレイヤ情報に対応付けられたプレイヤ関連情報をサーバ３００から別途受信し、各種の判断に用いるものとして説明したが、本発明の実施はこれに限られるものではない。プレイヤ情報は、例えばプレイヤ関連情報に含まれる情報（少なくとも携帯コンテンツ利用情報６２３）を有して構成されるものであってよく、この場合、筐体コンテンツの利用に際し、ゲーム装置１００は携帯ゲーム端末２００からプレイヤ情報を取得すれば、サーバ３００から情報取得を行わずとも、携帯コンテンツの利用状況に応じた興趣要素の提供を行うことができる。
【００８７】
同様に、プレイヤ情報には携帯ゲーム情報が含まれるものであってもよく、筐体コンテンツの利用に際してプレイヤ情報を取得し、筐体コンテンツのゲームプレイを提供した後、携帯ゲーム情報の変更は制御部１０１が行い、携帯ゲーム端末２００に返送するものであってもよい。
【００８８】
従って、本発明の実施において、携帯ゲーム端末２００とサーバ３００とで情報を分離して管理する必要はなく、ゲーム装置１００と携帯ゲーム端末２００との間だけでも、実現可能である。
【００８９】
また、本実施形態ではゲーム装置１００における物品の提供タイミングを例示したが、本発明の実施において物品の提供タイミングはこれに限られるものではない。本実施形態では提供されるゲームカードは既製カードであるものとして説明したが、例えばゲーム装置１００がプリンタ等の印刷装置を有し、ゲームのプレイ内容に応じたゲームカードを印刷製造可能に構成された、所謂オンデマンド印刷を行う態様では、対価の支払いに応じて提供されるゲームカードは、対戦ゲームの終了後にゲームカードの提供が行われるものであってもよい。一方、携帯コンテンツの利用状況に応じて提供されるゲームカードは、筐体コンテンツのプレイ内容によらず内容確定できるものであるため、上述した実施形態と同様に対戦ゲームの開始前に提供されるものであってもよいし、対戦ゲームの最中、あるいは対価の支払いに応じて提供されるゲームカードと同様に、対戦ゲームの終了後に提供されるものであってもよい。このとき、携帯コンテンツの利用状況に応じて提供されるゲームカードとして、所有状態にあるゲーム要素が対応付けられたゲームカード等、該利用状況や携帯ゲーム情報に基づくゲームカードを提供することで、興趣性を高めてもよい。また玩具体提供部１７０により提供される玩具体については、携帯コンテンツの利用状況に応じた提供タイミングも、対戦ゲームの終了後の所定の期間ではなく、例えば対戦ゲームの演出に合わせ、対戦ゲームの最中に設けられるものとしてもよい。
【００９０】
［その他の実施形態］
本発明は上記実施の形態に制限されるものではなく、本発明の精神及び範囲から離脱することなく、様々な変更及び変形が可能である。また本発明に係るゲーム装置は、コンピュータを該ゲーム装置として機能させるプログラムによっても実現可能である。該プログラムは、コンピュータが読み取り可能な記録媒体に記録されることにより、あるいは電気通信回線を通じて、提供／配布することができる。
【符号の説明】
【００９１】
１００：ゲーム装置、２００：携帯ゲーム端末、１０１：制御部、１０２：記録媒体、１０３：メモリ、１０４：支払検出部、１０５：取得部、１０６：キャラクタＤＢ、１０７：提示制御部、１０８：提供制御部、１０９：操作入力部、１１０：通信部、１２０：第１リーダ、１３０：第２リーダ、１４０：表示部、１５０：音声出力部、１６０：カード提供部、１７０：玩具体提供部、１７１：操作部
【図１】
2019010413.tif 000003
【図２】
2019010413.tif 000004
【図３】
2019010413.tif 000005
【図４】
2019010413.tif 000006
【図５】
2019010413.tif 000007
【図６】
2019010413.tif 000008
【手続補正書】
【提出日】平成30年8月24日(2018.8.24)
【手続補正１】
【補正対象書類名】特許請求の範囲
【補正対象項目名】全文
【補正方法】変更
【補正の内容】
【特許請求の範囲】
【請求項１】
第１の種別の物品から第１のゲーム情報が取得されることで進行制御がなされる第１のゲームコンテンツのゲームを実行する実行手段を備えるゲーム装置であって、
前記第１の種別の物品から前記第１のゲーム情報を取得する第１の取得手段と、
前記第１のゲームコンテンツとは異なる第２のゲームコンテンツのゲームを実行する第２の種別の物品から、少なくとも前記第２のゲームコンテンツについてプレイヤごとに管理されるプレイヤ情報を取得する第２の取得手段と、
前記実行手段により前記第１のゲームコンテンツのゲームが実行されたことに応じて、前記第２の取得手段により取得された前記プレイヤ情報と対応付けられた前記第２のゲームコンテンツのゲームの進行制御に用いられる第２のゲーム情報を変更するよう制御する第１の制御手段と、
前記第１の種別の物品を提供する第１の提供手段と、
前記第１の種別の物品及び前記第２の種別の物品とは異なる第３の種別の物品を提供する第２の提供手段と、
を備え、
前記第１の種別の物品及び前記第３の種別の物品は、前記ゲーム装置により提供可能に構成される一方で、前記第２の種別の物品は、前記ゲーム装置により提供されないゲーム装置。
【請求項２】
前記第２の提供手段は、操作部を備え、該操作部への操作がなされたことに応じて前記第３の種別の物品を提供するよう構成される請求項１に記載のゲーム装置。
【請求項３】
前記第１の制御手段は、前記第２のゲーム情報に含まれる、前記第２のゲームコンテンツのゲーム要素の情報及びプレイヤについて付与されている特典の情報の少なくともいずれかを変更するよう制御する請求項１または２に記載のゲーム装置。
【請求項４】
前記第１の制御手段による前記第２のゲーム情報の変更は、前記第２の種別の物品において使用可能な状態にある前記第２のゲームコンテンツのゲーム要素のゲームパラメータをゲームを有利に進行せしめる状態にする変更、前記第２の種別の物品において使用可能な状態にない前記第２のゲームコンテンツのゲーム要素を使用可能な状態にする変更、及び前記第２の種別の物品における前記第２のゲームコンテンツのゲームを有利に進行せしめる特典を付与する変更、の少なくともいずれかを含む請求項３に記載のゲーム装置。
【請求項５】
前記第１の制御手段は、前記第２のゲーム情報を変更するための情報を前記第２の種別の物品に取得させることにより、前記第２のゲーム情報を変更する請求項１乃至４のいずれか１項に記載のゲーム装置。
【請求項６】
前記第２のゲーム情報は、前記第２の種別の物品とは異なる外部装置において管理されており、
前記第１の制御手段は、前記第２のゲーム情報の変更要求を前記外部装置に送出することにより、前記第２のゲーム情報を変更する請求項１乃至４のいずれか１項に記載のゲーム装置。
【請求項７】
前記第１の制御手段は、前記第１のゲームコンテンツのゲームが実行された際に、前記プレイヤ情報または前記プレイヤ情報と関連付けて管理されるプレイヤ関連情報が所定の条件を満たす場合に、前記第２のゲーム情報を変更するよう制御する請求項１乃至６のいずれか１項に記載のゲーム装置。
【請求項８】
前記ゲーム装置は、対価の支払いを検出する検出手段をさらに備え、
前記実行手段は、前記検出手段により対価の支払いが検出されたことに応じて前記第１のゲームコンテンツのゲームを実行し、
前記第１の提供手段は、前記検出手段により対価の支払いが検出されたことに応じて前記第１の種別の物品を提供する請求項７に記載のゲーム装置。
【請求項９】
前記プレイヤ情報または前記プレイヤ関連情報は、対価の支払いに応じた前記実行手段による前記第１のゲームコンテンツのゲームの実行中または実行後に更新される、プレイヤの前記第１のゲームコンテンツの利用状況の情報を含み、
前記第１の制御手段は、前記第１のゲームコンテンツの利用状況の情報が前記所定の条件を満たす場合に、前記第２のゲーム情報を変更するよう制御する請求項８に記載のゲーム装置。
【請求項１０】
前記第１のゲームコンテンツの利用状況は、プレイヤの前記第１のゲームコンテンツのゲームのプレイ回数、プレイヤの同一の前記ゲーム装置における前記第１のゲームコンテンツのゲームのプレイ回数、プレイヤの前記第１のゲームコンテンツのゲームのプレイに係る対価の支払回数、プレイヤの前記第１のゲームコンテンツのゲームのプレイに係る対価の支払総額、及びプレイヤに対して提供された前記第１の種別の物品の総数、の少なくともいずれかを含む請求項９に記載のゲーム装置。
【請求項１１】
前記プレイヤ情報または前記プレイヤ関連情報は、プレイヤの前記第２のゲームコンテンツの利用状況の情報を含み、
前記ゲーム装置は、前記第２のゲームコンテンツの利用状況の情報に応じて、前記ゲーム装置の動作を制御する第２の制御手段をさらに備える請求項８乃至１０のいずれか１項に記載のゲーム装置。
【請求項１２】
前記第２の制御手段は、前記第２のゲームコンテンツの利用状況の情報に基づいて、前記第１のゲームコンテンツのゲームの進行を異ならせるよう前記実行手段を制御する請求項１１に記載のゲーム装置。
【請求項１３】
前記第２の制御手段は、前記第２のゲームコンテンツの利用状況が物品提供に係る第１の提供条件を満たす場合に、対価の支払いを要件とせずに、前記第１の種別の物品を提供させるよう前記第１の提供手段を制御する請求項１１または１２に記載のゲーム装置。
【請求項１４】
前記第２の提供手段は、前記第１のゲームコンテンツのゲームのプレイ内容に応じて、対価の支払いを要件とせずに、前記第３の種別の物品を提供するものであり、
前記第２の制御手段は、前記第２のゲームコンテンツの利用状況が物品提供に係る第２の提供条件を満たす場合に、前記第１のゲームコンテンツのゲームのプレイ内容に依らず、前記第３の種別の物品を提供させるよう前記第２の提供手段を制御する請求項１３に記載のゲーム装置。
【請求項１５】
前記第２の提供条件は、前記第１の提供条件が満たされることを前提とする請求項１４に記載のゲーム装置。
【請求項１６】
前記第２の制御手段は、前記第２のゲームコンテンツの利用状況が前記第２の提供条件を満たす場合に、対価の支払いに応じた前記実行手段による前記第１のゲームコンテンツのゲームの実行中、または実行完了後における所定の期間に、前記第２の提供手段に係る操作部を操作可能な状態に制御することで、前記第３の種別の物品を提供させるよう前記第２の提供手段を制御する請求項１４または１５に記載のゲーム装置。
【請求項１７】
前記第２のゲームコンテンツの利用状況は、プレイヤの前記第２のゲームコンテンツのゲームのプレイ回数、プレイヤが前記第２のゲームコンテンツのゲームを連続してプレイした日数、プレイヤが前記第２のゲームコンテンツのゲームのプレイによって達成したゲーム内条件、プレイヤが前記第２のゲームコンテンツについて行った課金回数、及びプレイヤが前記第２のゲームコンテンツについて行った課金総額、の少なくともいずれかを含む請求項１１乃至１６のいずれか１項に記載のゲーム装置。
【請求項１８】
コンピュータを、請求項１乃至１７のいずれか１項に記載のゲーム装置の各手段として機能させるためのプログラム。
【請求項１９】
第１の種別の物品から第１のゲーム情報が取得されることで進行制御がなされる第１のゲームコンテンツのゲームを実行する第１の実行手段を備えるゲーム装置と、前記第１のゲームコンテンツとは異なる第２のゲームコンテンツのゲームを実行する第２の実行手段を備える第２の種別の物品と、前記第１の種別の物品及び前記第２の種別の物品とは異なる第３の種別の物品とで構成されるゲームシステムであって、
前記ゲーム装置は、
前記第１の種別の物品から前記第１のゲーム情報を取得する第１の取得手段と、
前記第２の種別の物品から、少なくとも前記第２のゲームコンテンツについてプレイヤごとに管理されるプレイヤ情報を取得する第２の取得手段と、
前記第１の実行手段により前記第１のゲームコンテンツのゲームが実行されたことに応じて、前記第２の取得手段により取得された前記プレイヤ情報と対応付けられた前記第２のゲームコンテンツのゲームの進行制御に用いられる第２のゲーム情報を変更するよう制御する制御手段と、
前記第１の種別の物品を提供する第１の提供手段と、
前記第３の種別の物品を提供する第２の提供手段と、
を備え、
前記第１の種別の物品及び前記第３の種別の物品は、前記ゲーム装置により提供可能に構成される一方で、前記第２の種別の物品は、前記ゲーム装置により提供されないものであり、
前記第２の実行手段は、前記制御手段による前記第２のゲーム情報の変更があった場合に、変更後の前記第２のゲーム情報を用いて前記第２のゲームコンテンツのゲームの進行制御を行うゲームシステム。
【手続補正２】
【補正対象書類名】明細書
【補正対象項目名】０００７
【補正方法】変更
【補正の内容】
【０００７】
前述の目的を達成するために、本発明のゲーム装置は、第１の種別の物品から第１のゲーム情報が取得されることで進行制御がなされる第１のゲームコンテンツのゲームを実行する実行手段を備えるゲーム装置であって、第１の種別の物品から第１のゲーム情報を取得する第１の取得手段と、第１のゲームコンテンツとは異なる第２のゲームコンテンツのゲームを実行する第２の種別の物品から、少なくとも第２のゲームコンテンツについてプレイヤごとに管理されるプレイヤ情報を取得する第２の取得手段と、実行手段により第１のゲームコンテンツのゲームが実行されたことに応じて、第２の取得手段により取得されたプレイヤ情報と対応付けられた第２のゲームコンテンツのゲームの進行制御に用いられる第２のゲーム情報を変更するよう制御する第１の制御手段と、第１の種別の物品を提供する第１の提供手段と、第１の種別の物品及び第２の種別の物品とは異なる第３の種別の物品を提供する第２の提供手段と、を備え、第１の種別の物品及び第３の種別の物品は、ゲーム装置により提供可能に構成される一方で、第２の種別の物品は、ゲーム装置により提供されない。